【事件の表示】
　特願２０１４−２０６９８６「ＬＥＤパッケージ、バックライトユニット及び液晶表示装置」拒絶査定不服審判事件〔平成２８年　５月１２日出願公開、特開２０１６−　７６６３４〕について、次のとおり審決する。
【結　論】
　本件審判の請求は、成り立たない。
【理　由】
第１　手続の経緯 
　本願は、平成２６年１０月８日の出願であって、平成２９年１０月１３日付けで拒絶理由が通知され、平成３０年１月２４日に意見書及び手続補正書が提出され、平成３０年４月３日付けで最後の拒絶理由が通知され、平成３０年７月９日に意見書及び手続補正書が提出され、平成３０年８月３１日付けで拒絶査定及び補正の却下の決定がなされ、同査定の謄本は平成３０年９月１１日に請求人に送達された。これに対して、平成３１年１月１１日に拒絶査定不服審判の請求がなされ、同時に手続補正書が提出され、令和元年７月９日に上申書が提出され、その後、当審において、令和元年９月１１日付けで拒絶理由が通知され、令和元年１２月１０日に意見書及び手続補正書が提出されたものである。
  
第２　本願発明
　本願の請求項１に係る発明は、令和元年１２月１０日付け手続補正書により補正された特許請求の範囲の請求項１〜１５に記載された事項により特定されるものであるところ、その請求項１に係る発明（以下「本願発明」という。）は次のとおりのものである。
「【請求項１】
　ＬＥＤが実装されたフレームと、
　前記ＬＥＤの上部に配置されたガラスセルであって、スチレン又はキシレンのいずれか一つである有機溶媒中に分散された量子ドットを内包するガラスセルと
を有し、
　前記ＬＥＤが実装された前記フレームと前記ガラスセルとによって形成されるスペースには粒子が分散された樹脂が充填され、
　前記量子ドット上に光が均一に照射されるように、前記粒子が前記ＬＥＤからの光を散乱させていることを特徴とするＬＥＤパッケージ。」
第３　当審の拒絶理由通知書の概要
　当審の拒絶の理由である、令和元年９月１１日付け拒絶理由通知書の理由は概略、次のとおりのものである。
　本願の請求項１に係る発明は、その出願前に日本国内又は外国において、頒布された下記の引用文献に記載された発明に基いて、その出願前にその発明の属する技術の分野における通常の知識を有する者が容易に発明をすることができたものであるから、特許法第２９条第２項の規定により特許を受けることができない。
　引用文献　国際公開第２０１２／１３２２３２号
第４　引用文献に記載された事項
１　本願の出願前に頒布された文献である国際公開第２０１２／１３２２３２号（以下「引用文献」という。）には、図面とともに以下の記載がある。（下線は審決にて付与。以下同様。） 
  
　（ア）「［0001］本発明は、半導体発光装置に関し、特に、
量子ドット蛍光体を用いた半導体発光装置に関するものである
  
　（イ）「［0006］
ＬＥＤ光源は
ディスプレイデバイス
のキーデバイスとして用いられており
白色ＬＥＤは、青色ＬＥＤ光源と緑色蛍光体や黄色蛍光体との組み合わせが一般的であり、高効率・高演色性の実現には発光特性やエネルギー変換効率の優れた蛍光体が求められている
［0007］　そこで、バンド端光吸収・発光を直接利用することで高い量子効率を実現する半導体蛍光微粒子が多数提案されており、特に量子ドット蛍光体と呼ばれる直径が数ｎｍから数十ｎｍの微粒子が、希土類を含まない新しい蛍光体材料として期待されている。
量子ドット蛍光体は、量子サイズ効果によって同一材料の微粒子でも粒子径を制御することで可視光線領域において所望の波長帯の蛍光スペクトルを得ることが出来る
  
　（ウ）「［0041］（実施の形態１） 　まず、本発明の実施の形態１に係る半導体発光装置について、図１を用いて説明する。  
［0042］ 図１は、本発明の実施の形態１に係る半導体発光装置の断面概略図である。本実施の形態ではパッケージとしてリードフレームパッケージを用いている。また、本実施の形態に係る半導体発光装置は、白色光を放出する白色ＬＥＤ光源である。  
［0043］図１に示すように、本発明の実施の形態１に係る
半導体発光装置は、凹部を有する樹脂からなるパッケージを有し、リードフレーム１１と絶縁樹脂層１２と光反射樹脂層１３とを備える。リードフレーム１１はパッケージの凹部の底面から露出しており、凹部内のリードフレーム１１上には半導体発光素子１４として発光ダイオード（ＬＥＤ：Ｌｉｇｈｔ　Ｅｍｉｔｔｉｎｇ　Ｄｉｏｄｅ）が実装されている
［0044］半導体発光素子１４を封入する様に、パッケージ内には、透明樹脂からなる樹脂層１７（第１の樹脂層）が充填されている。本実施の形態では、
透明基板であるガラス板１８とパッケージとに囲まれた領域が樹脂層１７で充填されている
樹脂層１７中には、セラミックス微粒子１５が分散されている
［0045］
量子ドット蛍光体層１９（第２の樹脂層）は、樹脂層１７および半導体発光素子１４の上に形成された蛍光体層である
量子ドット蛍光体層１９は、ガラス板１８に封止された状態で、パッケージ内に充填された樹脂層１７に接して配置されている。量子ドット蛍光体層１９は、粒子径によって異なる励起蛍光スペクトルを有する半導体微粒子（量子ドット蛍光体）と、半導体微粒子を分散保持する樹脂とを含む
［0046］このように、本実施の形態では、
蛍光体層である量子ドット蛍光体層１９をガラス板１８に封入したものを用いている。具体的には、量子ドット蛍光体層１９をアクリル樹脂に分散させて２枚のガラスで挟んだ構造としている
［0047］本実施の形態における樹脂層１７の樹脂材料としてはシリコーン樹脂を用いた。シリコーン樹脂の熱伝導率は０．３Ｗ／ｍＫ程度と小さい値であり、このままでは、量子ドット蛍光体層１９の十分な放熱ができないため、ストークスロスによる自己発熱によって量子ドット蛍光体が高温化し発光効率が低下してしまう。そこで、本実施の形態では、熱伝導率の良いセラミックス微粒子１５をシリコーン樹脂に含有させることで、樹脂層１７の実効的な熱伝導率を増大させ、量子ドット蛍光体層１９の温度上昇を抑制している。  
［0048］以上、本実施の形態に係る半導体発光装置によれば、樹脂層１７（第１の樹脂層）にセラミックス微粒子が含まれているので、樹脂層１７の実効的な熱伝導率を増大させることができる。これにより、量子ドット蛍光体層１９（第２の樹脂層）の放熱性を向上させることができるので、量子ドット蛍光体層１９の温度上昇を抑制することができる。従って、量子ドット蛍光体層１９内の量子ドット蛍光体（半導体微粒子）が温度上昇によって劣化して発光効率が低下することを抑制することができる。これにより、高効率で高信頼性の半導体発光装置を提供できる。  
［0049］また、本実施の形態では、量子ドット蛍光体層１９がガラス板１８に封入されている。この構成により、量子ドット蛍光体層１９内の量子ドット蛍光体が酸素と触れないので、量子ドット蛍光体の酸素による劣化を抑制することができる。これにより、高信頼性で高演色性の半導体発光装置を提供できる。」 
  
　（エ）「［0108］そこで、実施の形態６では、上記の実施の形態１〜５における半導体発光装置において、
セラミックス微粒子１５として、可視光線を反射する白色微粒子を用いている。これにより、ＬＥＤからの光を白色微粒子によって拡散させることができるので、蛍光体層に均一な光照射を実現することができる
  
　（オ）図１は、以下のものである。 
  
  
  
２　上記１から、引用文献には、次の発明（以下「引用発明」という。）が記載されていると認められる。 
  
「量子ドット蛍光体を用いた半導体発光装置に関するものであり、 
　ディスプレイデバイスのキーデバイスとして用いられており、 
　半導体発光装置は、凹部を有する樹脂からなるパッケージを有し、リードフレーム１１と絶縁樹脂層１２と光反射樹脂層１３とを備え、リードフレーム１１はパッケージの凹部の底面から露出しており、凹部内のリードフレーム１１上には半導体発光素子１４として発光ダイオード（ＬＥＤ：Ｌｉｇｈｔ　Ｅｍｉｔｔｉｎｇ　Ｄｉｏｄｅ）が実装されており、 
　透明基板であるガラス板１８とパッケージとに囲まれた領域が樹脂層１７で充填されており、樹脂層１７中には、セラミックス微粒子１５が分散されており、 
　量子ドット蛍光体層１９（第２の樹脂層）は、樹脂層１７および半導体発光素子１４の上に形成された蛍光体層であり、 
　量子ドット蛍光体層１９は、ガラス板１８に封止された状態で、具体的には、量子ドット蛍光体層１９をアクリル樹脂に分散させて２枚のガラスで挟んだ構造で、粒子径によって異なる励起蛍光スペクトルを有する半導体微粒子（量子ドット蛍光体）と、半導体微粒子を分散保持する樹脂とを含んでおり 
　量子ドット蛍光体層１９は、パッケージ内に充填された樹脂層１７に接して配置されており、 
　セラミックス微粒子１５として、可視光線を反射する白色微粒子を用いて、これにより、ＬＥＤからの光を白色微粒子によって拡散させることができるので、蛍光体層に均一な光照射を実現することができる、 
　半導体発光装置。」
第５　対比・判断
１　対比
（１）引用発明の「発光ダイオード（ＬＥＤ：Ｌｉｇｈｔ Ｅｍｉｔｔｉｎｇ Ｄｉｏｄｅ）」、「リードフレーム１１と絶縁樹脂層１２と光反射樹脂層１３」、「半導体微粒子（量子ドット蛍光体）」、「樹脂層１７」、「セラミックス微粒子１５」は、それぞれ本願発明の「ＬＥＤ」、「フレーム」、「量子ドット」、「（粒子が分散された）樹脂」、「粒子」に相当する。 
（２）引用発明の「半導体発光装置」は、ＬＥＤパッケージとしての機能を有していることは明らかであるから、引用発明は、本願発明の「ＬＥＤパッケージ」との構成を有している。
  
（３）引用発明において「量子ドット蛍光体層１９は、ガラス板１８に封止された状態で、具体的には、量子ドット蛍光体層１９をアクリル樹脂に分散させて２枚のガラスで挟んだ構造で」あるから、引用発明の「ガラス板１８」は、本願発明の「スチレン又はキシレンのいずれか一つである有機溶媒中に分散された量子ドットを内包するガラスセル」と、「量子ドットを内包するガラスセル」の点で共通する。 
（４）引用発明において「セラミックス微粒子１５として、可視光線を反射する白色微粒子を用いて、これにより、ＬＥＤからの光を白色微粒子によって拡散させることができるので、蛍光体層に均一な光照射を実現することができる」ので、当該構成は、本願発明の「前記量子ドット上に光が均一に照射されるように、前記粒子が前記ＬＥＤからの光を散乱させていること」に相当する。
  
（５）上記（１）〜（４）から、本願発明と引用発明は、以下の一致点、相違点を有する。 
（一致点）
「ＬＥＤが実装されたフレームと、
　前記ＬＥＤの上部に配置されたガラスセルであって、量子ドットを内包するガラスセルと
を有し、
　前記ＬＥＤが実装された前記フレームと前記ガラスセルとによって形成されるスペースには粒子が分散された樹脂が充填され、
　前記量子ドット上に光が均一に照射されるように、前記粒子が前記ＬＥＤからの光を散乱させていることを特徴とするＬＥＤパッケージ。」
（相違点）
　量子ドットが分散される材料について、本願発明は「スチレン又はキシレンのいずれか一つである有機溶媒」であるのに対し、引用発明は「アクリル樹脂」である点。
２　判断
（１）相違点について
　上記相違点について検討するに、量子ドットを分散させる材料として、樹脂又は有機溶媒を用いることは周知事項（必要であれば、例えば、下記ア〜ウの周知文献１〜３参照）であるとともに、有機溶媒としてキシレンは広く知られている材料である（例えば、特開平７−２５９８７号公報の【００２６】、【００２７】、国際公開２０１２／１０２１０７号の［００７０］、特開２０１３−１６１８６２号公報の【００５８】等参照）。
　また、引用発明は「量子ドット蛍光体層１９は、ガラス板１８に封止された状態で、・・・量子ドット蛍光体層１９をアクリル樹脂に分散させて２枚のガラスで挟んだ構造で」あるとの構成を有しており、ガラス板１８に封止するという態様は、有機溶媒を用いる場合にも適していることは、周知文献２、３の記載からも明らかである。
　そして、量子ドットを分散させる材料として、どのような材料を用いるかは当業者が適宜選択しうる事項であり、引用発明において、量子ドットを分散させる材料として樹脂に代えて有機溶媒を用いることに、上記したように格別の阻害要因はなく、また、有機溶媒として広く知られているキシレンを採用することは設計事項にすぎないから、引用発明において、上記相違点に係る構成のようにすることは、上記周知事項に基づいて、当業者が容易に想到しうる程度のことにすぎない。
　
　ア　周知文献１
　特開２０１２−９９７８８号公報には、図面とともに以下の記載がある。
　（ア）「【００４２】
　また、
上記波長変換層１３０は、量子点（Ｑｕａｎｔｕｍ  Ｄｏｔ）を含むことができる。量子点は、約１〜１０ｎｍの直径を有する半導体物質のナノ結晶（ｎａｎｏ  ｃｒｙｓｔａｌ）であって、量子制限（Ｑｕａｎｔｕｍ  ｃｏｎｆｉｎｅｍｅｎｔ）効果を示す物質である。量子点は、発光構造物１２０から放出される光の波長を変換して波長変換光、即ち、蛍光を発生させる
【００４３】
　量子点物質をより詳細に説明すると、II−ＶＩ族系化合物半導体ナノ結晶は、例えば、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ及びＨｇＺｎＳＴｅからなる群から選択されたいずれかであることができる。III−Ｖ族系化合物半導体ナノ結晶は、例えば、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ及びＩｎＡｌＰＡｓからなる群から選択されたいずれかであることができる。ＩＶ−ＶＩ族系化合物半導体ナノ結晶は、例えば、ＳｂＴｅであることができる。
【００４４】
　
量子点は、有機溶媒
の分散媒質に自然に配位された形態で分散されることができ
有機溶媒は、トルエン（ｔｏｌｕｅｎｅ）、クロロホルム（ｃｈｌｏｒｏｆｏｒｍ）及びエタノール（ｅｔｈａｎｏｌ）の少なくとも一つを含み
　（イ）図１は以下のとおりである。
　イ　周知文献２
　　特開２０１２−４５６７号公報には、図面とともに以下の記載がある。
　（ア）「【００５０】
　
波長変換部１０５は、密封部材１０４の内部に封入された構造であり、量子点（Ｑｕａｎｔｕｍ  Ｄｏｔ）を含む
量子点は約１〜１０ｎｍの直径を有する半導体物質のナノ結晶（ｎａｎｏ  ｃｒｙｓｔａｌ）であり、量子閉じ込め（Ｑｕａｎｔｕｍ  ｃｏｎｆｉｎｅｍｅｎｔ）効果を示す物質である。量子点は発光素子１０１から放出される光の波長を変換して波長変換光、即ち蛍光を発生させる
【００５１】
　量子点物質についてより具体的に説明すると、ＩＩ−ＶＩ族系化合物半導体ナノ結晶は、例えば、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、及びＨｇＺｎＳＴｅで構成された群から選択されたいずれか１つであることができる。ＩＩＩ−Ｖ族系化合物半導体ナノ結晶は、例えば、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、及びＩｎＡｌＰＡｓで構成された群から選択されたいずれか１つであることができる。ＩＶ−ＶＩ族系化合物半導体ナノ結晶は、例えばＳｂＴｅであることができる。
【００５２】
　
量子点は、有機溶媒
分散媒質に自然に配位された形態で分散され、上述したように、このような構造を有する波長変換部１０５は密封部材１０４に封入されている
有機溶媒は、トルエン（ｔｏｌｕｅｎｅ）、クロロホルム（ｃｈｌｏｒｏｆｏｒｍ）、及びエタノール（ｅｔｈａｎｏｌ）のうち、少なくとも１種を含むことができ
　（イ）図１は以下のとおりである。
　ウ　周知文献３
国際公開第２００９／０７８４２６号には、図面とともに以下の記載がある。　
　（ア）「［０００１］本発明は、波長変換器及びそれを用いた発光装置に関し、詳しくは、所定の入射光を波長の異なる複数種類の蛍光に変換する波長変換器及びその波長変換器を介して励起光源から放出される励起光を互いに波長の異なる複数種類の蛍光に変換して出力する発光装置に関する。」
　（イ）「［００１９］
分散保持体は、第１の量子ドット蛍光体の蛍光体群及び第２の量子ドット蛍光体の蛍光体群を構成する第１の量子ドット蛍光体と第２の量子ドット蛍光体とを分散保持する
量子ドット蛍光体を分散保持する場合しては、例えば、樹脂等の固体の分散媒体からなる分散保持体によって、各量子ドット蛍光体が固定的に保持されている場合や、封止容器と封止容器に封入された液体の分散媒体とを含む分散保持体によって、各量子ドット蛍光体が流動的に保持されている場合が挙げられる
分散保持体の分散媒体として、例えば、クロロホルム等の有機溶媒が挙げられる
（２）作用効果について
　相違点に係る本願発明の効果について、引用発明及び周知事項から、当業者が予測しうる程度のものにすぎない。
第６　むすび
　以上のとおり、本願発明は、引用文献に記載された事項及び周知事項に基づいて、当業者が容易に発明をすることができたものであるから、特許法第２９条第２項の規定により、特許を受けることができない。
　したがって、その余の請求項に係る発明について検討するまでもなく、本願は拒絶すべきものである。
　よって、結論のとおり審決する。